(57)【要約】【課題】スリープしきい値時間ｔｔｈがスリープ導入時の制限要素となりスリープ時間が制限され省電力効果が低下する。また、スリープ／起動に関する指令を与えてから実際に動作するまでの時間であるコマンド処理時間に関しても、遅延が生じるため、スリープ時間の制限となり省電力効果が低下するという課題があった。【解決手段】本発明は、ＯＮＵの先に接続された加入者側ゲートウェイ装置８３を用いて、ＯＮＵ９２からＯＬＴ９１へ送信する上り方向のトラヒック情報又は情報機器８４の利用状態をＯＮＵ９２の前段で事前に検出し、この情報をもとに、ＯＮＵ９２におけるスリープ／起動を決定する。【選択図】図４
2014165514.tif 000002
【特許請求の範囲】
【請求項１】
局側終端装置と加入者側終端装置が受動光ネットワークで接続された光通信システムにおける前記加入者側終端装置に接続される加入者側ゲートウェイ装置であって、
前記局側終端装置と情報を送受信する情報機器から流入するトラヒックの情報を検出する検出部と、
前記検出部の検出したトラヒックの情報を監視する監視部と、
前記情報機器からのトラヒックを蓄積するキュー蓄積部と、
前記監視部の観測したトラヒックの情報に基づいて、前記加入者側終端装置の給電制御タイミングを決定し、前記加入者側終端装置の給電制御タイミングを指示する制御信号を前記加入者側終端装置へ通知するスリープ／起動判定部と、
前記キュー蓄積部に蓄積されたトラヒックを前記加入者側終端装置へ送信する信号処理部と、
を備える加入者側ゲートウェイ装置。
【請求項２】
前記キュー蓄積部の蓄積するトラヒックの量及び蓄積時間を観測するキュー観測部をさらに備え、
前記スリープ／起動判定部は、さらに、前記キュー観測部の観測するトラヒックの量及び蓄積時間に基づいて、前記加入者側終端装置の給電制御タイミングを決定する
ことを特徴とする請求項１に記載の加入者側ゲートウェイ装置。
【請求項３】
前記検出部は、さらに、前記情報機器から流入するトラヒックの優先度を検出し、
前記監視部は、さらに、前記検出部の検出したトラヒックの優先度を監視し、
前記スリープ／起動判定部は、前記監視部の識別した優先度に基づいて、前記加入者側終端装置の給電制御タイミングを決定する
ことを特徴とする請求項１又は２に記載の加入者側ゲートウェイ装置。
【請求項４】
前記キュー蓄積部は、トラヒックの優先度に応じたクラス別キューを１つ以上有し、
前記キュー蓄積部の蓄積するトラヒックの量及び蓄積時間を、前記クラス別キューごとに観測するキュー観測部をさらに備え、
前記検出部は、さらに、前記情報機器から流入するトラヒックの優先度を検出し、
前記監視部は、さらに、前記検出部の検出したトラヒックの優先度を監視し、
前記スリープ／起動判定部は、さらに、前記キュー観測部の観測するトラヒックの量及び蓄積時間並びにトラヒックの優先度に基づいて、前記加入者側終端装置の給電制御タイミングを決定する
ことを特徴とする請求項１に記載の加入者側ゲートウェイ装置。
【請求項５】
前記スリープ／起動判定部は、前記クラス別キューのうちの高優先度のクラス別キューに蓄積された旨の通知を前記キュー観測部から受けると、前記加入者側終端装置の給電を速やかに行う旨を決定し、その旨の制御信号を前記加入者側終端装置へ通知し、
前記信号処理部は、当該制御信号の通知の後に、前記高優先度のクラス別キューに蓄積されているトラヒックを前記加入者側終端装置へ速やかに送信する
ことを特徴とする請求項４に記載の加入者側ゲートウェイ装置。
【請求項６】
前記スリープ／起動判定部は、前記クラス別キューのうちの予め定められた特定のクラス別キューに蓄積された旨の通知を前記キュー観測部から受けると、前記特定のクラス別キューにトラヒックが流入してから一定時間経過後を、前記加入者側終端装置の給電制御タイミングに決定し、その旨の制御信号を前記加入者側終端装置へ通知し、
前記信号処理部は、当該制御信号の通知を受けると、前記特定のクラス別キューにトラヒックが流入してから一定時間経過後に、前記特定のクラス別キューの優先度のトラヒックを前記加入者側終端装置へ送信する
ことを特徴とする請求項４に記載の加入者側ゲートウェイ装置。
【請求項７】
前記スリープ／起動判定部は、前記クラス別キューのうちの高優先度のクラス別キュー及び低優先度のクラス別キューに蓄積されたことを観測した旨の通知を前記キュー観測部から受けると、前記高優先度のクラス別キュー及び前記低優先度のクラス別キューに蓄積されているトラヒックの量に基づいて、前記加入者側終端装置の給電制御タイミングを決定し、
前記信号処理部は、前記高優先度のクラス別キュー及び前記低優先度のクラス別キューに蓄積されているトラヒックを、前記加入者側終端装置へ一括して送信する
ことを特徴とする請求項４から６のいずれかに記載の加入者側ゲートウェイ装置。
【請求項８】
前記検出部は、さらに、前記情報機器のオン／オフ情報を検出し、
前記監視部は、さらに、前記検出部の検出した前記情報機器のオン／オフ情報を監視し、
前記スリープ／起動判定部は、さらに、前記監視部の監視した前記情報機器のオン／オフ情報に基づいて、前記加入者側終端装置の給電制御タイミングを決定する
ことを特徴とする請求項１から７のいずれかに記載の加入者側ゲートウェイ装置。
【請求項９】
前記検出部は、さらに、前記情報機器の動作状態に関する情報を抽出し、
前記監視部は、さらに、前記検出部の検出した前記情報機器の動作状態を監視し、
前記スリープ／起動判定部は、さらに、前記監視部の監視した前記情報機器の動作状態に基づいて、前記加入者側終端装置の給電制御タイミングを決定する
ことを特徴とする請求項１から８のいずれかに記載の加入者側ゲートウェイ装置。
【請求項１０】
前記監視部は、さらに、前記検出部の検出したトラヒックの情報に基づいて前記情報機器の利用パターンを解析し、
前記スリープ／起動判定部は、さらに、前記監視部の解析した前記情報機器の利用パターン情報に基づいて、前記加入者側終端装置の給電制御タイミングを決定する
ことを特徴とする請求項１から９のいずれかに記載の加入者側ゲートウェイ装置。
【請求項１１】
局側終端装置と加入者側終端装置が受動光ネットワークで接続された光通信システムにおける前記加入者側終端装置に接続される加入者側ゲートウェイ装置を用いた前記加入者側終端装置の省電力方法であって、
前記局側終端装置と情報を送受信する情報機器から前記加入者側ゲートウェイ装置へ流入するトラヒックの情報を検出する検出手順と、
前記検出手順で検出したトラヒックの情報を監視する監視手順と、
前記監視手順で観測したトラヒックの情報に基づいて、前記加入者側終端装置の給電制御タイミングを決定し、前記加入者側終端装置の給電制御タイミングを指示する制御信号を前記加入者側終端装置へ通知するスリープ／起動判定手順と、
前記情報機器から流入するトラヒックを前記加入者側終端装置へ送信するトラヒック送信手順と、
を順に有する加入者側終端装置の省電力方法。
【発明の詳細な説明】
【技術分野】
【０００１】
本発明は、加入者側終端装置と局側終端装置がポイント・トゥ・マルチポイント型の受動光ネットワークで接続された光通信システムにおける加入者側終端装置を省電力化するための加入者側ゲートウェイ装置に関する。
【背景技術】
【０００２】
ＦＴＴＨを含むブロードバンドの普及は、多様なＩＣＴサービスを展開する契機となっている。例えば、ＨＧＷ（Ｈｏｍｅ  Ｇａｔｅｗａｙ）上で動作するソフトウェアを、センター側から追加・更新・削除するための仕組みを持つＯＳＧｉ（Ｏｐｅｎ  Ｓｅｒｖｉｃｅ  Ｇａｔｅｗａｙ  Ｉｎｉｔｉａｔｉｖｅ）プラットホームを利用したサービスであるホームＩＣＴサービスが開始されている。そのため、今後、ＨＧＷを介して様々な情報機器がネットワークへ接続されることが予想される。
【０００３】
一方で、昨今の環境負荷低減に向けた社会的要請は重要な検討課題の１つである。通信機器に対する省電力化要求も厳しく、それは、光アクセスネットワークに対しても同様である。光アクセスネットワークの消費電力は光通信ネットワークにおける消費電力の約８０％を占めると言われている。これは、光アクセスネットワークにおいては、ＯＮＵ（Ｏｐｔｉｃａｌ  Ｎｅｔｗｏｒｋ  Ｕｎｉｔ）の絶対数が多く消費電力の占める割合も高くなるためである。また、さらなるＦＴＴＨ利用者の増加や多様なＩＣＴサービスの普及は、ＯＮＵの絶対数の増加、更には、これに接続されるＨＧＷ絶対数の増加も意味しており、ＯＮＵ、ＨＧＷ等のアクセス系宅内装置に対する省電力化の要請は一層強まることが予想される。
【０００４】
次世代ネットワーク（ＮＧＮ：Ｎｅｘｔ  Ｇｅｎｅｒａｔｉｏｎ  Ｎｅｔｗｏｒｋ）における光アクセスネットワークとホームネットワークの代表的な網構成を述べる。図１に示すように、光アクセスネットワークの代表的な網構成として、加入者側終端装置であるＯＮＵ９２と局側終端装置であるＯＬＴ９１（ｏｐｔｉｃａｌ  Ｌｉｎｅ  Ｔｅｒｍｉｎａｌ）とが１対１で接続されるシングルスター（ＳＳ：Ｓｉｎｇｌｅ  Ｓｔａｒ）構成と、図２に示すように、複数のＯＮＵと１つのＯＬＴとが１対ｎ（ｎは自然数）で接続される受動光ネットワーク（ＰＯＮ：Ｐａｓｓｉｖｅ  Ｏｐｔｉｃａｌ  Ｎｅｔｗｏｒｋ）構成とがある。
【０００５】
ＳＳ方式においては、ＯＮＵがＯＬＴを占有出来るので高速通信が可能であるが、装置コストが高いという欠点がある。一方ＰＯＮ方式においては複数のＯＮＵが１つのＯＬＴや光ファイバ設備を共有するために経済性に優れているという理由から、多くの光アクセスネットワークではＰＯＮ方式が採用されている。ギガビットクラスのＰＯＮの代表的な規格としては、ＩＥＥＥ８０２．３ａｈタスクフォースにおいて標準化されたＥＰＯＮ（Ｅｔｈｅｒｎｅｔ（登録商標）ＰＯＮ）、ＩＥＥＥ８０２．３ａｖタスクフォースにおいて標準化された１０ギガビットクラスのＰＯＮシステムである１０Ｇ−ＥＰＯＮがある。
【０００６】
また、ホームネットワークにおける代表的な網構成を述べる。ホームネットワークは、ＯＮＵの（ＵＮＩ：Ｕｓｅｒ  Ｎｅｔｗｏｒｋ  Ｉｎｔｅｒｆａｃｅ）に、ＨＧＷが接続され、その先に情報機器が接続される。光アクセスネットワークにおける省電力化に関する取り組みとして、無通信状態（アイドル状態）である場合にＯＮＵの未使用の部位を休止させるスリープ方式や通信量に応じてリンクレートを変化させる適応ンクレート方式などが検討されている（例えば、非特許文献１参照。）。しかしながら、上記の通信装置を用いた方法を適用した場合においては、ＯＮＵの給電制御部位のスリープ可否判断をするための時間であるスリープしきい値時間が必要であり、ＯＮＵの給電停止部位への給電停止時間が短くなり、省電力効果が限定されていた。該スリープしきい値時間は、任意の時間で設定され、入力トラヒック到着間隔とスリープしきい値時間を比較してスリープに入るかどうかを判断する。従来技術をＰＯＮシステム構成する任意のＯＮＵｉに適用した場合の動作について説明する。
【０００７】
図３に示すある入力トラヒックに対するＯＮＵの給電制御部位の状態に関する時間的遷移図を用いて説明する。上段のタイムチャートは、ＯＮＵ入力トラヒックを示し、縦軸は、ＵＮＩがＧｉｇａｂｉｔ  Ｅｔｈｅｒｎｅｔ（登録商標）（ＧｂＥ）の場合における瞬間的なリンクレートを示す。図３に示すように本実施例の場合、フレームが入力する際の瞬間的なリンクレートは、１Ｇｂｉｔ／ｓである。２段目は、上段のトラヒックが流入した場合における理想的なＯＮＵの起動状態を示す。ここで、給電制御部位に電力が供給されている場合は「起動」状態、電力が供給されていない場合は「スリープ」状態とし、前者の時間を起動時間、後者の時間をスリープ時間とする。。３段目は、上段のトラヒックが流入した場合における従来のＯＮＵの起動状態を示す。
【０００８】
まず、ＯＮＵに入力トラヒックが観測された場合について説明する。
スリープ状態に遷移可能な一定のスリープしきい値時間であるｔｔｈが終了する時刻ｔ２までの間、トラヒックが観測されなかった場合、無通信状態と判断される。そして時刻ｔ２においてＯＮＵの給電制御部位に対してスリープ導入を指令する制御信号が送信される。そして、ＯＮＵにおけるＣＰＵやＯＳ、アプリケーションの処理にかかる遅延を示すコマンド処理時間が終了する時刻ｔ３から、ＯＮＵの給電制御部位への給電を停止し時刻ｔ４にスリープに入る。さらに、時刻ｔ５に上りトラヒックが流入した時点で、時刻ｔ５においてＯＮＵの給電制御部位に対して起動を指令する制御信号を送信される。そして、コマンド処理時間が終了する時刻ｔ６から、ＯＮＵの給電制御部位への給電を再開し時刻ｔ７に起動状態に入る。このような動作を繰り返す。時刻ｔ１４〜ｔ１５のように、スリープしきい値時間ｔｔｈよりも入力トラヒック間隔が狭かった場合は、通信状態と判断されスリープ導入を指令する制御信号を送信することが出来ないため、スリープすることが出来ない。
【先行技術文献】
【非特許文献】
【０００９】
【非特許文献１】“Ｓｔｕｄｙ  ａｎｄ  Ｄｅｍｏｎｓｔｒａｔｉｏｎ  ｏｆ  Ｓｌｅｅｐ  ａｎｄ  Ａｄａｐｔｉｖｅ  Ｌｉｎｋ  Ｒａｔｅ  Ｃｏｎｔｒｏｌ  Ｍｅｃｈａｎｉｓｍｓ  ｆｏｒ  Ｅｎｅｒｇｙ  Ｅｆｆｉｃｉｅｎｔ  １０Ｇ−ＥＰＯＮ”，ＩＥＥＥ／ＯＳＡ  Ｊｏｕｒｎａｌ  ｏｆ  Ｏｐｔｉｃａｌ  Ｃｏｍｍｕｎｉｃａｔｉｏｎｓ  ａｎｄ  Ｎｅｔｗｏｒｋｉｎｇ  Ｖｏｌ．２，Ｎｏ．９，ｐｐ．７１６−７２９，Ｓｅｐｔｅｍｂｅｒ  ２０１０
【発明の概要】
【発明が解決しようとする課題】
【００１０】
このように、スリープしきい値時間ｔｔｈがスリープ導入時の制限要素となりスリープ時間が制限され省電力効果が低下する。また、スリープ／起動に関する指令を与えてから実際に動作するまでの時間であるコマンド処理時間に関しても、遅延が生じるため、スリープ時間の制限となり省電力効果が低下するという課題があった。
【課題を解決するための手段】
【００１１】
上記目的を達成するために、本願発明は、ＯＮＵの先に接続された加入者側ゲートウェイ装置を用いて、ＯＮＵからＯＬＴへ送信する上り方向のトラヒック情報又は情報機器の利用状態をＯＮＵの前段で事前に検出し、この情報をもとに、ＯＮＵにおけるスリープ／起動を決定する。
【００１２】
具体的には、本願発明の加入者側ゲートウェイ装置は、
局側終端装置と加入者側終端装置が受動光ネットワークで接続された光通信システムにおける前記加入者側終端装置に接続される加入者側ゲートウェイ装置であって、
前記局側終端装置と情報を送受信する情報機器から流入するトラヒックの情報を検出する検出部と、
前記検出部の検出したトラヒックの情報を監視する監視部と、
前記情報機器からのトラヒックを蓄積するキュー蓄積部と、
前記監視部の観測したトラヒックの情報に基づいて、前記加入者側終端装置の給電制御タイミングを決定し、前記加入者側終端装置の給電制御タイミングを指示する制御信号を前記加入者側終端装置へ通知するスリープ／起動判定部と、
前記キュー蓄積部に蓄積されたトラヒックを前記加入者側終端装置へ送信する信号処理部と、
を備える。
【００１３】
本願発明の加入者側ゲートウェイ装置では、
前記キュー蓄積部の蓄積するトラヒックの量及び蓄積時間を観測するキュー観測部をさらに備え、
前記スリープ／起動判定部は、さらに、前記キュー観測部の観測するトラヒックの量及び蓄積時間に基づいて、前記加入者側終端装置の給電制御タイミングを決定してもよい。
【００１４】
本願発明の加入者側ゲートウェイ装置では、
前記検出部は、さらに、前記情報機器から流入するトラヒックの優先度を検出し、
前記監視部は、さらに、前記検出部の検出したトラヒックの優先度を監視し、
前記スリープ／起動判定部は、前記監視部の識別した優先度に基づいて、前記加入者側終端装置の給電制御タイミングを決定してもよい。
【００１５】
本願発明の加入者側ゲートウェイ装置では、
前記キュー蓄積部は、トラヒックの優先度に応じたクラス別キューを１つ以上有し、
前記キュー蓄積部の蓄積するトラヒックの量及び蓄積時間を、前記クラス別キューごとに観測するキュー観測部をさらに備え、
前記検出部は、さらに、前記情報機器から流入するトラヒックの優先度を検出し、
前記監視部は、さらに、前記検出部の検出したトラヒックの優先度を監視し、
前記スリープ／起動判定部は、さらに、前記キュー観測部の観測するトラヒックの量及び蓄積時間並びにトラヒックの優先度に基づいて、前記加入者側終端装置の給電制御タイミングを決定してもよい。
【００１６】
本願発明の加入者側ゲートウェイ装置では、
前記スリープ／起動判定部は、前記クラス別キューのうちの高優先度のクラス別キューに蓄積された旨の通知を前記キュー観測部から受けると、前記加入者側終端装置の給電を速やかに行う旨を決定し、その旨の制御信号を前記加入者側終端装置へ通知し、
前記信号処理部は、当該制御信号の通知の後に、前記高優先度のクラス別キューに蓄積されているトラヒックを前記加入者側終端装置へ速やかに送信してもよい。
【００１７】
本願発明の加入者側ゲートウェイ装置では、
前記スリープ／起動判定部は、前記クラス別キューのうちの予め定められた特定のクラス別キューに蓄積された旨の通知を前記キュー観測部から受けると、前記特定のクラス別キューにトラヒックが流入してから一定時間経過後を、前記加入者側終端装置の給電制御タイミングに決定し、その旨の制御信号を前記加入者側終端装置へ通知し、
前記信号処理部は、当該制御信号の通知を受けると、前記特定のクラス別キューにトラヒックが流入してから一定時間経過後に、前記特定のクラス別キューの優先度のトラヒックを前記加入者側終端装置へ送信してもよい。
【００１８】
本願発明の加入者側ゲートウェイ装置では、
前記スリープ／起動判定部は、前記クラス別キューのうちの高優先度のクラス別キュー及び低優先度のクラス別キューに蓄積されたことを観測した旨の通知を前記キュー観測部から受けると、前記高優先度のクラス別キュー及び前記低優先度のクラス別キューに蓄積されているトラヒックの量に基づいて、前記加入者側終端装置の給電制御タイミングを決定し、
前記信号処理部は、前記高優先度のクラス別キュー及び前記低優先度のクラス別キューに蓄積されているトラヒックを、前記加入者側終端装置へ一括して送信してもよい。
【００１９】
本願発明の加入者側ゲートウェイ装置では、
前記検出部は、さらに、前記情報機器のオン／オフ情報を検出し、
前記監視部は、さらに、前記検出部の検出した前記情報機器のオン／オフ情報を監視し、
前記スリープ／起動判定部は、さらに、前記監視部の監視した前記情報機器のオン／オフ情報に基づいて、前記加入者側終端装置の給電制御タイミングを決定してもよい。
【００２０】
本願発明の加入者側ゲートウェイ装置では、
前記検出部は、さらに、前記情報機器の動作状態に関する情報を抽出し、
前記監視部は、さらに、前記検出部の検出した前記情報機器の動作状態を監視し、
前記スリープ／起動判定部は、さらに、前記監視部の監視した前記情報機器の動作状態に基づいて、前記加入者側終端装置の給電制御タイミングを決定してもよい。
【００２１】
本願発明の加入者側ゲートウェイ装置では、
前記監視部は、さらに、前記検出部の検出したトラヒックの情報に基づいて前記情報機器の利用パターンを解析し、
前記スリープ／起動判定部は、さらに、前記監視部の解析した前記情報機器の利用パターン情報に基づいて、前記加入者側終端装置の給電制御タイミングを決定してもよい。
【００２２】
具体的には、本願発明の加入者側終端装置の省電力方法は、
局側終端装置と加入者側終端装置が受動光ネットワークで接続された光通信システムにおける前記加入者側終端装置に接続される加入者側ゲートウェイ装置を用いた前記加入者側終端装置の省電力方法であって、
前記局側終端装置と情報を送受信する情報機器から前記加入者側ゲートウェイ装置へ流入するトラヒックの情報を検出する検出手順と、
前記検出手順で検出したトラヒックの情報を監視する監視手順と、
前記監視手順で観測したトラヒックの情報に基づいて、前記加入者側終端装置の給電制御タイミングを決定し、前記加入者側終端装置の給電制御タイミングを指示する制御信号を前記加入者側終端装置へ通知するスリープ／起動判定手順と、
前記情報機器から流入するトラヒックを前記加入者側終端装置へ送信するトラヒック送信手順と、
を順に有する。
【００２３】
なお、上記各発明は、可能な限り組み合わせることができる。
【発明の効果】
【００２４】
本発明は、加入者側終端装置よりも先に上りトラヒックの情報を知りうる加入者側ゲートウェイ装置が給電制御タイミングを通知する制御信号を送信するため、加入者側終端装置のスリープ時間を長くすることができ、これにより加入者側終端装置の省電力効果を向上することができる。
【図面の簡単な説明】
【００２５】
【図１】光アクセスネットワークの代表的なシングルスター構成を示す。
【図２】光アクセスネットワークの代表的なＰＯＮ構成を示す。
【図３】入力トラヒックに対するＯＮＵの給電制御部位の状態に関する時間的遷移図を示す。
【図４】本発明の実施形態に係わる加入者側ゲートウェイ装置の概略図を示す。
【図５】実施形態１におけるシステム構成の具体例を示す。
【図６】実施形態１に係るＯＮＵ省電力化方法のフローチャートの一例を示す。
【図７】実施形態１に係るＯＮＵの起動状態の一例を示すタイムチャートである。
【図８】実施形態１に係る第２例を示す。
【図９】実施形態１に係る第３例を示す。
【図１０】実施形態２に係る加入者側ゲートウェイ装置の概略図を示す。
【図１１】実施形態２におけるシステム構成の具体例を示す。
【図１２】実施形態２に係るＯＮＵ省電力化方法のフローチャートの一例を示す。
【図１３】実施形態３に係る加入者側ゲートウェイ装置の概略図を示す。
【図１４】実施形態４に係るＯＮＵの起動状態の一例を示すタイムチャートである。
【図１５】実施形態５に係るＯＮＵ省電力化方法のフローチャートの一例を示す。
【図１６】実施形態６に係るＯＮＵ省電力化方法のフローチャートの一例を示す。
【図１７】実施形態７に係る加入者側ゲートウェイ装置の概略図を示す。
【発明を実施するための形態】
【００２６】
添付の図面を参照して本発明の実施形態を説明する。以下に説明する実施形態は本発明の実施の例であり、本発明は、以下の実施形態に制限されるものではない。
【００２７】
以下に、本発明による加入者側ゲートウェイ装置および加入者側ゲートウェイ装置を用いた省電力方法による実施形態について図面を参照して説明する。図４に、本実施形態に係る加入者側ゲートウェイ装置の概略図を示す。本実施形態に係る加入者側ゲートウェイ装置は、上位側にネットワーク回線を終端する加入者側終端装置に接続され、下位側にＶｏＩＰ８４１、ＰＣ８４２およびＴＶ８４３などの情報機器８４に接続される。加入者側終端装置８２は、例えば図１に示すＯＮＵ９２である。本実施形態におけるトラヒックは、情報機器８４から加入者側ゲートウェイ装置８３へ流入し、その後加入者側終端装置８２へ送信される上りトラヒックのことをいう。加入者側ゲートウェイ装置８３は、例えば図１に示すＨＧＷ９３である。
【００２８】
加入者側ゲートウェイ装置８３は、検出部３１と、監視部３２と、キュー蓄積部３５と、スリープ／起動判定部３３と、信号処理部３４を有する。従来の装置構成と比べて、加入者側ゲートウェイ装置８３が、検出部３１、監視部３２及びスリープ／起動判定部３３を新たに備えた点が異なる。
【００２９】
本実施形態に係る加入者側終端装置の省電力化方法は、加入者側ゲートウェイ装置８３に接続された情報機器８４から得られる情報を検出する検出手順と、監視手順と、スリープ／起動判定手順と、トラヒック送信手順と、を順に有する。
【００３０】
情報機器８４からトラヒックが流入すると、検出手順を実行する。
検出手順では、検出部３１は、情報機器８４から流入するトラヒックの情報や情報機器８４の利用状態を検出する。情報機器８４からのトラヒックは、キュー蓄積部３５で蓄積される。
監視手順では、監視部３２は、検出部３１によって検出した情報を監視する。これにより、加入者側ゲートウェイ装置８３は、トラヒックの情報および情報機器８４の利用状況を加入者側終端装置８２に先んじて把握する。
スリープ／起動判定手順では、スリープ／起動判定部３３は、監視部３２から伝達されたトラヒックの情報および情報機器８４の利用状況に関する情報を元に、スリープ又は起動に入るタイミングを指示する制御信号を生成して加入者側終端装置８２へ通知する。制御信号を用いた加入者側終端装置８２への通知は、キュー蓄積部３５から加入者側終端装置８２へトラヒックを送信する前に行う。
トラヒック送信手順では、信号処理部３４は、キュー蓄積部３５に蓄積されたトラヒックを加入者側終端装置８２へ送信する。スリープ／起動判定部３３から予め加入者側終端装置８２に制御信号を通知することで、上りトラヒックに応じて例えば、加入者側終端装置８２の一部の機能をスリープ又は、起動させることができる。
【００３１】
（実施形態１）
ネットワーク回線が光アクセスネットワーク回線であり、加入者側終端装置８２としてＯＮＵ９２を用い、本実施形態に係る加入者側ゲートウェイ装置８３としてＨＧＷ９３を用いた場合の本実施形態における動作について説明する。図５に示す様に、ＨＧＷ９３とＯＮＵ９２は、ＵＮＩを介して接続されている。該ＨＧＷ９３は主に、ＰＨＹ３６、検出部３１、監視部３２、スリープ／起動判定部３３、信号処理部３４、キュー蓄積部３５を有する。該ＯＮＵ９２は主に、ＰＨＹ２４、スリープ／起動判定部２１、信号処理部２２、キュー蓄積部２３、光送受信器（ＴＲｘ：Ｔｒａｎｓｃｅｉｖｅｒ）２５を有する。
【００３２】
次に、本発明における各種通信装置内および通信装置間の動作について説明する。ここでは、図６のフローチャートを用いて加入者側ゲートウェイ装置へのトラヒックの流入が検出され、検出部３１で検出したトラヒック情報に基づいてＯＮＵ９２への給電制御タイミングを通知する場合の動作について説明する。
まず、ＨＧＷ９３の検出部３１においてトラヒックの流入が確認された場合（Ｓ１０１）、監視部３２においてトラヒックの到着間隔をモニタリングする（Ｓ１０２）。監視部３２は、到着間隔をモニタリングした結果をスリープ／起動判定部３３に通知する（Ｓ１０３）。
次に、スリープ／起動判定部３３は、トラヒックの到着間隔に基づいて給電制御タイミングを決定し、給電制御タイミングに関する情報をＯＮＵ９２へ制御信号を用いて通知する（Ｓ１０４）。
【００３３】
次に、任意のＨＧＷ９３およびＯＮＵ９２へ適用した時の動作について図７に示す時間的遷移図を用いて説明する。上段のタイムチャートは、ＨＧＷ９３から流入する入力トラヒックを示す。２段目は、上段のトラヒックが流入した場合における理想的なＯＮＵ９２の起動状態を示す。３段目は、上段のトラヒックが流入した場合における従来のＯＮＵ９２の起動状態を示す。４段目は、ＨＧＷ９３のスリープ／起動判定部３３から送信されたＯＮＵの給電制御タイミングに関する情報を含む制御信号を示す。下段は、本発明による効果である、上段のトラヒックが流入した場合において、４段目の制御信号に合わせ、ＯＮＵ９２への給電制御を行った場合におけるＯＮＵの起動状態を示す。
【００３４】
時刻ｔ１にＨＧＷ９３のスリープ／起動判定部３３から送信された制御信号を受信し、ＯＮＵ９２は部品の過渡応答時間を経て時刻ｔ２〜ｔ５までスリープ状態に入る。時刻ｔ５にＨＧＷ９３のスリープ／起動判定部３３から送信されてから制御信号を受信し、ＯＮＵ９２は部品の過渡応答時間を経て時刻ｔ６〜ｔ８まで起動状態に入る。このような動作を繰り返すことで、従来の省電力化方法よりもスリープ時間を長くすることが出来る。
【００３５】
また、従来の省電力化方法では、ＯＮＵ９２においてトラヒック到着間隔がスリープしきい値時間と同等もしくはしきい値以下であった場合、ＯＮＵ９２はスリープすることが出来なかった。一方、本発明では、ＯＮＵ９２においてしきい値を設けず、トラヒックがＯＮＵ９２へ入力される前に予めＨＧＷ９３からＯＮＵ９２への給電制御タイミングに関する制御信号を送信しているため、コマンド処理時間の短縮が可能である。これにより、本発明は、ＯＮＵ９２のスリープ時間を長くすることが出来るため、従来の省電力化方法と比較して省電力効果を向上させることが出来る。
【００３６】
実施形態１の動作は、以下のような方法を用いても良い。
例えば、加入者側ゲートウェイ装置８３をＨＧＷ９３、加入者側終端装置８２をＯＮＵ９２としたが、このように別筐体でも良いし、一つの筐体の中に同一基盤上にＨＧＷ８３とＯＮＵ９２のような機能を持つ構成であっても良い。
また、図８に示すように、ＯＮＵ９２は主に、ＰＨＹ２４、ＴＲｘ２５を有する構成でも良い。
また、図９に示すように、ＨＧＷ９３の基板上に、ＯＮＵ９２のＴＲｘ２５等の一部の機能を含む構成でも良い。
また、制御信報を送信する方法として、スリープ／起動情報に関して、それぞれ別に送信したが、一つの制御信号に、スリープ／起動情報に関する情報を一括で送信する方法でも良い。
また、制御信号の伝達方法として、ＨＧＷ９３とＯＮＵ９２とを別線を用いて接続し、物理的信号を用いる場合ないし、制御プロトコルであるＬＬＤＰ（Ｌｉｎｋ  Ｌａｙｅｒ  Ｄｉｓｃｏｖｅｒｙ  Ｐｒｏｔｏｃｏｌ）を用いて主信号に乗せる方法や、ＩＥＥＥ８０２．１５．４において標準化された無線通信規格であるＺｉｇｂｅｅ（登録商標）を用いる方法でも良い。
【００３７】
（実施形態２）
実施形態１とは異なり、加入者側ゲートウェイ装置８３における検出部３１で検出したトラヒック情報に加えて、キュー観測部３７で観測されたキュー蓄積部３５のトラヒック蓄積情報に基づいて加入者側終端装置８２への給電制御タイミングを通知する場合を説明する。具体的には、図１０に示すように、キュー蓄積部３５に流入するトラヒックの有無およびトラヒックの量を観測するキュー観測部３７と、トラヒック蓄積時間を計測するためのタイマ３８を有する点が実施形態１と異なる。
【００３８】
次に、本発明における具体的な動作について説明する。
ＨＧＷ９３は、図１１に記載の検出部３１において、例えばＨＧＷ９３に流入するトラヒック間隔を検出し、検出情報を監視部３２へ伝達する。
キュー観測部３７は、キュー蓄積部３５に流入するトラヒックに対してある一定時間のしきい値を設け、キュー蓄積部３５にトラヒックが流入してからしきい値時間の間、キュー蓄積部３５においてトラヒックを蓄積する。このトラヒックの蓄積時間は、タイマ３８により測定される。
スリープ／起動判定部３３では、検出部３１において検出されるトラヒックの情報およびキュー蓄積部３５でのトラヒック蓄積情報から、ＯＮＵ９２の給電制御タイミングを決定し、制御信号を送信する。
【００３９】
本発明において、ＨＧＷ９３にトラヒックが流入してからＯＮＵ９２へトラヒックを送信するまでのＨＧＷ９３の動作について、図１２に示すフローチャートを用いて説明する。
ＨＧＷ９３の検出部３１においてトラヒックの流入を確認した時（Ｓ２０１）、キュー蓄積部３５にトラヒックがあった場合（Ｓ２０２においてＹｅｓ）および、無かった場合における動作を説明する。
まず検出部３１において、トラヒックの流入を確認し、その時にキュー蓄積部３５にトラヒックが蓄積されている場合、キュー観測部３７は、時刻Ｔがタイマ値Ｔｔｈ＿ｔｉｍｅｒの値になる、つまりＴ＝Ｔｔｈ＿ｔｉｍｅｒになるまで、キュー蓄積部３５にトラヒックを蓄積させる（Ｓ２０４）。蓄積している間に、キュー観測部３７は、Ｔ＝Ｔｔｈ＿ｔｉｍｅｒになるまでにキュー蓄積部３５内に蓄積されるトラヒックの量を計算し（Ｓ２０５）、スリープ／起動判定部３３へ通知する。スリープ／起動判定部３３は、キュー蓄積部３５内のトラヒックの量に基づいて給電制御タイミングを決定し、キュー蓄積部３５内のトラヒックの量に応じた制御信号をＯＮＵ９２へ送信する（Ｓ２０６）。そして、Ｔ＝Ｔｈ＿ｔｉｍｅｒとなった後に、信号処理部３４が、キュー蓄積部３５に蓄積したフレームをＯＮＵ９２へ送信し、タイマ３８のタイマ値をリセットする（Ｓ２０７）。
【００４０】
一方、検出部３１においてトラヒック流入を確認した際に（Ｓ２０１）、キュー蓄積部３５にトラヒックが無かった（Ｓ２０２においてＮｏ）場合、タイマ値Ｔｔｈ＿ｔｉｍｅｒをリセットし（Ｓ２０３）、流入するトラヒックをキュー蓄積部３５にタイマ値Ｔｔｈ＿ｔｉｍｅｒの値になる、つまりＴ＝Ｔｔｈ＿ｔｉｍｅｒになるまで、トラヒックを蓄積させる（Ｓ２０４）。蓄積している間に、キュー蓄積部３５内のトラヒックの量を計算し（Ｓ２０５）、スリープ／起動判定部３３より、給電制御タイミングに関する情報をＯＮＵ９２へ送信し（Ｓ２０６）、Ｔ＝Ｔｈ＿ｔｉｍｅｒとなった後に、ＨＧＷ９３で蓄積したフレームをＯＮＵ９２へ送信しタイマ値をリセットする（Ｓ２０７）。
【００４１】
タイマ値Ｔｔｈ＿ｔｉｍｅｒの値は、任意の値を設定することが出来る。ただし、最大蓄積可能トラヒックの量と最大または平均入力レートによってタイマ値は設定する必要がある。これは、ＨＧＷ９３内でフレームを蓄積する際に、バッファ溢れを防ぐためである。例えば、ＨＧＷ９３のバッファ容量が１００ｋＢｙｔｅ、平均入力レートが４０Ｍｂｉｔ／ｓであった場合、タイマ３８のタイマ値はＴｔｈ＿ｔｉｍｅｒ＝２０ｍｓ以内に設定する必要がある。
【００４２】
本実施形態に係る加入者側終端装置の省電力方法は、以上の動作を繰り返す。本実施形態において設定する一定のしきい値時間は、流入したトラヒックにおいて許容される遅延時間よりも短く設定される。また、該一定のしきい値時間とは、ＨＧＷ９３の該キュー蓄積部３５内において蓄積させるバッファ量と関係がある。しきい値時間内に蓄積される最大バッファ量は、ＨＧＷ９３の該キュー蓄積部３５内におけるバッファ量よりも小さいことが要求される。そのため、タイマ値は、最大入力レートでＨＧＷ９３のバッファ内にフレームが蓄積された場合においても、ＨＧＷ９３のバッファ容量を超えない範囲でしきい値は、設定される必要がある。
【００４３】
実施形態２の動作は、以下のような方法を用いても良い。キュー蓄積部３５でのトラヒック管理方法としては、タイマ３８を用いてしきい値時間を計算したが、ＨＧＷ９３のバッファ内でバッファ量を計算する方法でも良い。
【００４４】
実施形態２の動作は、以下のような方法を用いても良い。加入者側ゲートウェイ装置８３をＨＧＷ９３、加入者側終端装置８２をＯＮＵ９２としたが、このように別筐体でも良いし、一つの筐体の中に同一基盤上にＨＧＷ９３とＯＮＵ９２のような機能を持つ構成であっても良い。該ＯＮＵ９２は主に、ＰＨＹ２４、ＴＲｘ２５を有する構成でも良い。また、該ＨＧＷ９３の基板上に、該ＯＮＵ９２のＴＲｘ２５等の一部の機能を含む構成でも良い。
【００４５】
また、制御信号を送信する方法として、スリープ／起動情報に関して、それぞれ別に送信したが、一つの制御信号に、スリープ／起動情報に関する情報を一括で送信する方法でも良い。また、制御信号の伝達方法として、ＨＧＷ９３とＯＮＵ９２とを別線を用いて接続し、物理的信号を用いる場合ないし、制御プロトコルであるＬＬＤＰ（Ｌｉｎｋ  Ｌａｙｅｒ  Ｄｉｓｃｏｖｅｒｙ  Ｐｒｏｔｏｃｏｌ）を用いて主信号に乗せる方法や、ＩＥＥＥ８０２．１５．４において標準化された無線通信規格であるＺｉｇｂｅｅを用いる方法でも良い。
【００４６】
（実施形態３）
実施形態１及び実施形態２とは異なり、加入者側ゲートウェイ装置８３がトラヒックの優先度に応じたクラス別キューを１つ以上有し、キュー観測部３７でトラヒックの優先度を観測し、優先度を考慮したトラヒック転送方法を用いた場合を説明する。具体的には、図１３に示すように、キュー蓄積部３５に優先度に応じたクラス別キューを有することが実施形態１及び実施形態２とは異なる。本実施形態においてキュー＃１、キュー＃２は、それぞれ高優先度および低優先度トラヒックを管理する機能を有する。
【００４７】
次に、本発明における具体的な動作について説明する。ここでは、高優先度トラヒックとして、Ｓｅｓｓｉｏｎ  Ｉｎｉｔｉａｔｉｏｎ  Ｐｒｏｔｏｃｏｌ（ＳＩＰ）を利用したＶｏｉｃｅ  Ｏｖｅｒ  Ｉｎｔｅｒｎｅｔ  Ｐｒｏｔｏｃｏｌ（ＶｏＩＰ）通信に関するトラヒックが流入した場合を説明する。ＨＧＷ９３のキュー観測部３７において、トラヒックの優先度を監視し、キュー＃１に高優先度トラヒックが流入した場合、優先度の高いトラヒックの通信品質を維持するために、スリープ／起動判定部３３からＯＮＵ９２へ予め高優先トラヒックが流入したという情報を制御信号を用いて通知する。ＨＧＷ９３から制御信号を送信した後に、信号処理部３４からキュー蓄積部３５内の高優先トラヒックをＯＮＵ９２へ送信する。これにより、高優先トラヒックに関しては、許容される遅延時間内にトラヒックを送信することが出来るため、通信品質を保持することが出来る。
【００４８】
本実施形態におけるＨＧＷ９３の該キュー観測部３７におけるトラヒックの監視方法は、図１３に示すように予め指定された種類のトラヒックが入るキュー＃１をキュー蓄積部３５に備えておき、該キュー＃１に予め指定されたトラヒックが流入したかどうかを監視していたが、その他にも、ＩＰパケットのヘッダにおけるＴｙｐｅ  ｏｆ  Ｓｅｒｖｉｃｅ（ＴｏＳ）の値をトラヒック毎に観測する機能を検出部３１又はキュー蓄積部３５内に備えておき、高優先トラヒックを確認する方法でも良いし、ＩＰパケットのＴｏＳ値をＶＬＡＮタグ付きＭＡＣフレームのＣｌａｓｓ  ｏｆ  Ｓｅｒｖｉｃｅ（ＣｏＳ）の値と１対１に対応するように設定し、ＣｏＳ値をフレーム毎に観測する機能を検出部３１又はキュー蓄積部３５に備える方法でも良い。また、高優先度トラヒックとして、ＳＩＰを利用したＶｏＩＰ通信を挙げたが、これに限らず、今後新たに高優先度サービスが提供された場合においてはそれらトラヒックについても該当する。
【００４９】
（実施形態４）
実施形態３とは異なり、加入者側ゲートウェイ装置８３がトラヒックの優先度に応じたクラス別キューを１つ以上有し、キュー観測部３７でトラヒックの優先度を観測し、高優先および低優先トラヒックの流入があった場合において優先度を考慮したトラヒック転送方法を用いた場合の動作について図１３および図１４を用いて説明する。ここでは、高優先トラヒックとしてＶｏＩＰ通信に関するトラヒックが流入した場合を説明する。
【００５０】
図１３に示すＨＧＷ９３のキュー観測部３７において、トラヒックの優先度を監視し、キュー＃１に高優先トラヒックが流入した場合、優先度の高いトラヒックに対する通信品質を保持するために、スリープ／起動判定部３３からＯＮＵ９２へ予め高優先トラヒックが流入したという情報を通知する。もし、高優先トラヒックが流入されかつ、キュー蓄積部３５内に予め低優先トラヒックが蓄積されていた場合、信号処理部３４では、ＨＧＷ９３は高優先トラヒックの送信タイミングに合わせて、低優先トラヒックをまとめて一括送信する。
【００５１】
これらの動作を、図１４のタイムチャートを用いて説明する。上段のタイムチャートは、ＨＧＷ９３のキュー＃１に流入したトラヒック、２段目のタイムチャートは、ＨＧＷ９３のキュー＃２に流入したトラヒック、３段目のタイムチャートは、ＨＧＷ９３から事前に通知された制御信号、そして下段は、本発明によるＯＮＵ起動状態を示す。図１４のようにキュー＃１およびキュー＃２にトラヒックが流入した時、ＨＧＷ９３の該キュー＃１と該キュー＃２にて蓄積される。時刻ｔ０〜ｔ１、ｔ２〜ｔ３、ｔ４〜ｔ５の間に流入したキュー＃２のトラヒックは該キュー＃２にて蓄積させる。
【００５２】
また、制御信号は、時刻ｔ７にＨＧＷ９３からＯＮＵ９２へ送信している。そして、コマンド処理時間を経て、休止していたＯＮＵ９２のＴＲｘ２５を含む一部の機能が時刻ｔ８〜ｔ９において起動し、ＨＧＷ９３のキュー＃１に流入したトラヒックとキュー＃２において蓄積していたトラヒックは、時刻ｔ９〜ｔ１１において一括で送信される。
その後、時刻ｔ１１〜ｔ１２においてスリープを指令するコマンド処理を経て時刻ｔ１３〜ｔ１５において、ＯＮＵ９２の一部の機能をスリープさせる。
【００５３】
以上説明したように、本実施形態に係る加入者側ゲートウェイ装置は、スリープ／起動の遷移回数を削減し、スリープ時間を長くすることで省電力効果を向上させることが出来る。さらに、本実施形態に係る加入者側ゲートウェイ装置は、高優先トラヒックに関しては、許容される遅延時間内にトラヒックを送信することが出来るため、通信品質を保持することが出来る。
【００５４】
（実施形態５）
実施形態１および実施形態２と異なり、加入者側ゲートウェイ装置８３の検出部３１において情報機器８４の使用開始または終了の情報すなわち、情報機器８４のオン／オフ情報を観測することで、加入者側終端装置８２への給電タイミングを制御する方法を用いた場合における動作を示す。具体的に、図５または図１１に示す通信装置の構成において、ＨＧＷ９３の検出部３１でＩＰ電話などの優先度の高い情報機器８４がオン／オフになった場合における動作を説明する。ＨＧＷ９３は図５または図１１に記載の検出部３１において、ＨＧＷ９３に接続されるＩＰ電話のオン／オフ情報を検出し監視部３２へ検出情報を伝達する。
【００５５】
スリープ／起動判定部３３では、検出部３１において検出される情報機器のオン／オフ情報からＯＮＵ９２がスリープまたは起動に入るタイミングに関する情報を含んだ制御信号を送信する。例えば、検出部３１は、ＩＰ電話であるＶｏＩＰ８４１のオン／オフ情報を検出する。
【００５６】
本発明においてＶｏＩＰ８４１の使用開始からスリープ／起動判定部３３に状態を通知するまでの動作について図１５に示すフローチャートを用いて説明する。
ＨＧＷ９３の検出部３１において、高優先フレームを流す情報機器８４のＯＮ／ＯＦＦ情報を検出し（Ｓ３０１）、その情報がＯＮであった場合（Ｓ３０２おいてＹｅｓ）、監視部３２よりＯＮ状態であることをスリープ／起動判定部３３に状態を通知し（Ｓ３０３）、それらの情報を用いてＯＮＵ９２へ給電制御タイミングに関する情報を送信する。
一方、検出情報がＯＦＦ状態であった場合（Ｓ３０２においてＮｏ）についても同様に、その情報をスリープ／起動判定部３３に状態を通知し（Ｓ３０４）、それらの情報を用いてＯＮＵ９２へ給電制御タイミングに関する情報を通知する。
【００５７】
本実施形態は、優先度の高いＩＰ電話からのトラヒックの流入をＳＩＰセッションなどの情報よりも先に検出することが出来るため、より早く制御信号をＯＮＵ９２へ伝達することで、コマンド処理時間を短縮することが出来、スリープ時間を長くすることで省電力効果を向上させることが出来る。また、ＩＰ電話からのオン／オフ情報を直接検出することで、処理時間を短縮することが出来、遅延時間を短縮することが出来る。
【００５８】
本実施形態では、情報機器８４のオン／オフ情報を利用したＯＮＵ９２への給電タイミングの制御について説明したが、ＩＰ電話に限らずＰＣ８４２やＩＰＴＶなどのＴＶ８４３、情報家電等の一般的な情報機器８４でも良い。また、高優先フレームを流す情報機器８４として、ＩＰ電話について説明したが、これに限らず、今後新たに高優先フレームを流す情報機器８４が接続された場合においては、それら情報機器８４についても該当する。
【００５９】
（実施形態６）
実施形態１、実施形態２および実施形態５と異なり、加入者側ゲートウェイ装置８３に接続される情報機器８４の動作状態に関する情報に応じて、加入者側終端装置８２への給電制御タイミングを通知する方法を説明する。
本実施形態では、図５または図１１に示す通信装置の構成において、ＨＧＷ９３に接続されるＰＣの動作状態としてＣＰＵの稼働率に関する情報を検出する場合を説明する。具体的に、図１６に示すフローチャートを用いて説明する。
【００６０】
まず、ＰＣ８４２内のＣＰＵの稼働率を検出し、その情報を制御プロトコルであるＬＬＤＰ等を用いてＨＧＷ９３の検出部３１へ送信し、動作状態を把握する（Ｓ４０１）。もしＰＣ８４２が実効的なトラヒックが流れるようなＣＰＵ処理をしている場合（Ｓ４０２おいてＹｅｓ）は、監視部３２より、スリープ／起動判定部３３に動作状態が継続していることを通知する（Ｓ４０３）。
一方、ＰＣ８４２が実効的なトラヒックが流れるようなＣＰＵ処理をしていない場合においても（Ｓ４０２おいてＮｏ）、同様に監視部３２より、スリープ／起動判定部３３に動作状態が継続していないことを通知する（Ｓ４０４）。検出部３１における情報機器８４の動作状態の把握は定期的に行われる。
【００６１】
本実施形態では、ＨＧＷ９３に接続されるＰＣ８４２の動作状態に関して、ＣＰＵの稼働率を元に把握したが、それ以外にもＮＷの接続状況や、ダウンロード／アップロードの動作状況、通信量モニタリングから得られる情報を用いても良い。また、情報機器８４の動作状態に関する情報として、ＨＧＷ９３に実装されているＯＳＧｉ上のアプリケーションを利用して、ＨＧＷ９３に接続される情報機器８４の情報を把握する特定のバンドルから得られる情報をスヌーピングする方法でも良い。また、情報機器８４の動作状態に関する情報を制御プロトコルであるＬＬＤＰを用いて把握したが、これに限らない。
【００６２】
本実施形態は、例えばＰＣ８４２などの電源が起動している状態であっても、ＰＣ８４２がスリープ状態である場合や、動画のストリーミングを行っている際の動作状態を検出し、ＯＮＵ９２への給電制御タイミングを通知することで、情報機器８４から実効的なトラヒックが流れない動作状況にある場合においても、的確なスリープ／起動情報をＨＧＷ９３から送信することで、ＯＮＵ９２のスリープ時間を長くし、省電力効果を向上させることが出来る。
【００６３】
（実施形態７）
本実施形態では、実施形態５および実施形態６と異なり、加入者側ゲートウェイ装置８３で情報機器８４の利用に関するログ情報を利用した場合を説明する。図１７に示すように、監視部３２が、解析部３２１、メモリ３２２および時計３２３を有しているところが異なる。メモリ３２２は、ＨＧＷ９３に接続される情報機器８４の利用に関するログ情報を蓄積する。
【００６４】
本実施形態における具体的な動作について説明する。
検出部３１において情報機器８４の利用状況を検出し、監視部３２内の時計３２３と同期させログ情報をメモリ３２２内に書き込む。例えば情報機器８４の利用状況に関する把握方法としては、時計３２３を利用し時刻情報等を取得し、曜日、日時毎の情報機器８４の利用状況を時計の出力情報と共にメモリ３２２内に書き込む。
そして、解析部３２１が、メモリ３２２内に記録された情報を元に、時計３２３の出力する日時、曜日毎の情報機器８４の利用パターンを解析し、抽出した情報機器８４の利用パターンに応じて、スリープ／起動判定部３３に抽出情報を通知する。
スリープ／起動判定部３３は、通知された抽出情報を元に、ＯＮＵ９２への給電制御タイミングに関する情報を送信する。
【００６５】
例えば、解析部３２１は、平日０：００〜２０：００までは情報機器８４の利用が少なく、２１：００〜２３：００の間は情報機器８４の利用が多いなどの日時毎の情報機器８４のログ情報を抽出する。そして、解析部３２１は、時計３２３の抽出する日時に合わせて、ログ情報を抽出情報としてスリープ／起動判定部３３に通知する。スリープ／起動判定部３３は、それらのログ情報を用いて、平日０：００にはスリープを指示する制御信号をＯＮＵ９２へ送信する。
【００６６】
平日０：００〜２０：００の間にＶｏＩＰ８４１の利用があった場合には、解析部３２１は、その情報を抽出情報としてスリープ／起動判定部３３に通知する。スリープ／起動判定部３３は、その情報を元に、起動を指示する制御信号をＯＮＵ９２に送信する。本実施形態は、ＨＧＷ９３を所有するユーザ毎の情報機器８４の利用パターンに応じて、ＯＮＵ９２へ給電制御を行うため、スリープ時間を長くすることが出来、ＯＮＵ９２の省電力化効率を向上させることが出来る。
【産業上の利用可能性】
【００６７】
本発明は情報通信産業に適用することができる。
【符号の説明】
【００６８】
２１：スリープ／起動判定部
２２：信号処理部
２３：キュー蓄積部
２４：ＰＨＹ
２５：ＴＲｘ
３１：検出部
３２：監視部
３２１：解析部
３２２：メモリ
３２３：時計
３３：スリープ／起動判定部
３４：信号処理部
３５：キュー蓄積部
３６：ＰＨＹ
３７：キュー観測部
３８：タイマ
８２：加入者側終端装置
８３：加入者側ゲートウェイ装置
８４：情報機器
８４１：ＶｏＩＰ
８４２：ＰＣ
８４３：ＴＶ
９１：ＯＬＴ
９２、９２１・・・９２ｉ・・・９２ｎ：ＯＮＵ
９３、９３１・・・９３ｉ・・・９３ｎ：ＨＧＷ
９４：スプリッタ
９５：光ファイバ
９６、９６１・・・９６ｉ・・・９６ｎ：ＵＮＩ
【図１】
2014165514.tif 000003
【図２】
2014165514.tif 000004
【図３】
2014165514.tif 000005
【図４】
2014165514.tif 000006
【図５】
2014165514.tif 000007
【図６】
2014165514.tif 000008
【図７】
2014165514.tif 000009
【図８】
2014165514.tif 000010
【図９】
2014165514.tif 000011
【図１０】
2014165514.tif 000012
【図１１】
2014165514.tif 000013
【図１２】
2014165514.tif 000014
【図１３】
2014165514.tif 000015
【図１４】
2014165514.tif 000016
【図１５】
2014165514.tif 000017
【図１６】
2014165514.tif 000018
【図１７】
2014165514.tif 000019